(57)【要約】【課題】空調機の冷却効果を確保しつつ、連続して安定に運転できる。【解決手段】空気調和システムは、機器が設置される二重床があり、当該二重床の床下空間に空気調和機が冷却用空気を供給し、前記床下空間の冷却用空気が、前記二重床の床下空間から前記二重床の床面の開口部を介して前記床面上で冷却用空気を流す第１流路に供給され、前記第１流路に供給された冷却用空気が前記機器の内部を冷却して温熱空気となって排出され、前記排出される温熱空気が第２流路を介して前記空気調和機に還流される空気調和システムであって、前記第１流路において検出された冷気測定温度と前記第２流路において検出された温熱空気測定温度とに基づいて前記空気調和機の風量を判定する判定手段と、前記判定手段の判定結果に応じて第１流路に供給する冷却用空気の供給量を調整する床面吹出し風量調整部とを備える。【選択図】図１
2014190667.tif 000002
【特許請求の範囲】
【請求項１】
機器が設置される二重床があり、当該二重床の床下空間に空気調和機が冷却用空気を供給し、前記床下空間の冷却用空気が、前記二重床の床下空間から前記二重床の床面の開口部を介して前記床面上で冷却用空気を流す第１流路に供給され、前記第１流路に供給された冷却用空気が前記機器の内部を冷却して温熱空気となって排出され、前記排出される温熱空気が第２流路を介して前記空気調和機に還流される空気調和システムであって、
前記第１流路において検出された冷気測定温度と前記第２流路において検出された温熱空気測定温度とに基づいて前記空気調和機の風量を判定する判定手段と、
前記判定手段の判定結果に応じて第１流路に供給する冷却用空気の供給量を調整する床面吹出し風量調整部と
を備えることを特徴とする空気調和システム。
【請求項２】
前記判定手段は、
前記第１流路において検出された冷気測定温度と、前記第２流路において検出された温熱空気測定温度と、前記空気調和機から供給される冷却用空気の測定温度とに基づいて前記空気調和機の風量を判定する
ことを特徴とする請求項１に記載の空気調和システム。
【請求項３】
前記判定手段は、
前記第１流路において検出された冷気測定温度と、前記第２流路において検出された温熱空気測定温度と、前記空気調和機から供給される冷却用空気の測定温度とに基づいて算出された前記空気調和機に還流される温熱空気の温度をもとにして前記空気調和機の風量を判定する
ことを特徴とする請求項２に記載の空気調和システム。
【請求項４】
前記第１流路において検出された冷気測定温度と、前記第２流路において検出された温熱空気測定温度と、前記空気調和機から供給される冷却用空気の測定温度と、前記算出された空気調和機に還流される温熱空気の温度とに基づいて、前記床面吹出し風量調整部の風量を制御する制御手段
を備えることを特徴とする請求項３に記載の空気調和システム。
【請求項５】
前記制御手段は、
前記第２流路における複数の位置で検出された複数の温熱空気測定温度の平均と前記空気調和機に還流される温熱空気の温度との差に基づいて、前記床面吹出し風量調整部の風量を制御する
ことを特徴とする請求項４に記載の空気調和システム。
【請求項６】
前記判定手段の判定結果に基づいて前記床下空間の冷却用空気と前記空気調和機に還流する温熱空気とを混合させる冷気ミキシング部
を備えることを特徴とする請求項１から５の何れか１項に記載の空気調和システム。
【請求項７】
前記冷気ミキシング部は、
前記第２流路に前記床下空間の冷却用空気を供給する風量調整部
を備えることを特徴とする請求項６に記載の空気調和システム。
【請求項８】
前記冷気ミキシング部は、
前記判定手段の判定結果に応じて、前記空気調和機の吸い込み口近傍の床下の前記床下空間の冷却用空気の第２流路に吹き出させる吹き出し量を前記風量調整部によって調整して、前記吹き出し量が調整された床下空間の冷却用空気と前記空気調和機に還流する温熱空気とを混合させる
ことを特徴とする請求項６又は７に記載の空気調和システム。
【請求項９】
前記床面吹出し風量調整部は、
前記コールドアイルの測定温度が、予め定められた温度を超えた場合には、前記空気調和機の吹出し風量を増加させる
ことを特徴とする請求項６から８の何れか１項に記載の空気調和システム。
【請求項１０】
前記床面吹出し風量調整部は、
前記床面吹出し口の開閉を制御する
ことを特徴とする請求項１から９の何れか１項に記載の空気調和システム。
【請求項１１】
前記床面吹出し風量調整部は、
前記床面吹出し口に設置された床面ファンを含む
ことを特徴とする請求項１から１０の何れか１項に記載の空気調和システム。
【請求項１２】
前記コールドアイル内の温度を測定する温度測定手段と
をさらに備えることを特徴とする請求項８に記載の空気調和システム。
【請求項１３】
機器が設置される二重床の床下空間に空気調和機が冷却用空気を供給し、前記床下空間の冷却用空気が、前記二重床の床下空間から前記二重床の床面の開口部を介して前記床面上で冷却用空気を流す第１流路に供給され、前記第１流路に供給された冷却用空気が前記機器の内部を冷却して温熱空気となって排出され、前記排出される温熱空気が第２流路を介して前記空気調和機に還流される空気調和システムにおける空気調和方法であって、
前記第１流路において検出された冷気測定温度と前記第２流路において検出された温熱空気測定温度とに基づいて前記空気調和機の風量を判定するステップと、
前記空気調和機の風量を判定した結果に応じて第１流路に供給する冷却用空気の供給量を調整するステップと
を備えることを特徴とする空気調和方法。
【請求項１４】
機器が設置される二重床の床下空間に空気調和機が冷却用空気を供給し、前記床下空間の冷却用空気が、前記二重床の床下空間から前記二重床の床面の開口部を介して前記床面上で冷却用空気を流す第１流路に供給され、前記第１流路に供給された冷却用空気が前記機器の内部を冷却して温熱空気となって排出され、前記排出される温熱空気が第２流路を介して前記空気調和機に還流される空気調和システムが備えるコンピュータに、
前記第１流路において検出された冷気測定温度と前記第２流路において検出された温熱空気測定温度とに基づいて前記空気調和機の風量を判定するステップと、
前記空気調和機の風量を判定した結果に応じて第１流路に供給する冷却用空気の供給量を調整するステップと
を実行させるためのプログラム。
【発明の詳細な説明】
【技術分野】
【０００１】
本発明は、空気調和システム、空気調和方法、及びプログラムに関する。
【背景技術】
【０００２】
サーバや通信装置などの装置が内部に配された収容架（ラック）が列（収容架列）を成し、収容架列が複数配されている機械室がある。このような機械室における空気調和システムは、それぞれの収容架の内部に配された装置を効率よく冷却することが必要とされ、機械室を二重床にして、二重床の床下空間に空調機（空気調和装置）からの冷気を供給し、収容架から排出される温熱空気とその冷気とが互いに回り込まないように分離させる場合がある。このような機械室における空調機からの冷気は、二重床の床下空間を経て収容架に供給され、収容架内の装置を冷却して昇温した空気（温熱空気）となって収容架から排出される（例えば、特許文献１参照）。
特許文献１による空気調和システムは、装置の冷却をより効率よく行うために、通路を挟んで対向させた収容架列の間の空間（コールドアイル)を、通路の上部を覆う上部遮蔽板と通路の端部を覆う端部遮蔽板とを含む遮蔽部材（アイルキャッピング）によって閉塞させている。このように閉塞された空間を冷気で満たして冷気の流路にすることにより、その空間に満たされている冷気を効率よく収容架に供給して装置の冷却効果を高めている。
【先行技術文献】
【特許文献】
【０００３】
【特許文献１】特許３８３５６１５号公報
【発明の概要】
【発明が解決しようとする課題】
【０００４】
ところで、収容架は、収容架内に設けられたファンによって、コールドアイルに面した面からコールドアイルの冷気を吸い込む。そのファンの流量が低減されて、収容架が吸い込む冷気の流量が低下する場合がある。収容架が吸い込む冷気の温度、及び、収容架内の装置の発熱量の変化がなく、収容架を通る冷気の流量が低下する場合には、収容架から排出される温熱空気の温度が高くなる。その結果、空調機に還流する温熱空気  戻り空気の温度が高くなるため、空調機は、温度が高くなった温熱空気を、収容架が吸い込む冷気の温度に対応する所定の温度まで冷却することが必要となり、連続して安定に運転することが困難になる場合がある。
一方、特許文献１の方法で空調機に還流する温熱空気の温度を低減するためには、空調機の風量を増加させて、コールドアイルへの冷気吹出し風量を増加させて、収容架が吸い込む流量を増加させるようにする対応方法が考えられる。しかしながら、この対応方法では、キャッピング内の風量が過多となることから、空調機の冷却効果を容易に確保しにくいという問題がある。
【０００５】
上記問題に鑑みて、本発明の目的は、空調機の冷却効果を確保しつつ、連続して安定に運転できる空気調和システム、空気調和方法、及びプログラムを提供することにある。
【課題を解決するための手段】
【０００６】
［１］本発明の第１の態様に係る空気調和システムは、機器が設置される二重床があり、当該二重床の床下空間に空気調和機が冷却用空気を供給し、前記床下空間の冷却用空気が、前記二重床の床下空間から前記二重床の床面の開口部を介して前記床面上で冷却用空気を流す第１流路に供給され、前記第１流路に供給された冷却用空気が前記機器の内部を冷却して温熱空気となって排出され、前記排出される温熱空気が第２流路を介して前記空気調和機に還流される空気調和システムであって、前記第１流路において検出された冷気測定温度と前記第２流路において検出された温熱空気測定温度とに基づいて前記空気調和機の風量を判定する判定手段と、前記判定手段の判定結果に応じて第１流路に供給する冷却用空気の供給量を調整する床面吹出し風量調整部とを備えることを特徴とする。
【０００７】
［２］上記発明の第１の態様に係る空気調和システムは、前記判定手段は、前記第１流路において検出された冷気測定温度と、前記第２流路において検出された温熱空気測定温度と、前記空気調和機から供給される冷却用空気の測定温度とに基づいて前記空気調和機の風量を判定することを特徴とする。
【０００８】
［３］上記発明の第１の態様に係る空気調和システムは、前記判定手段は、前記第１流路において検出された冷気測定温度と、前記第２流路において検出された温熱空気測定温度と、前記空気調和機から供給される冷却用空気の測定温度とに基づいて算出された前記空気調和機に還流される温熱空気の温度をもとにして前記空気調和機の風量を判定する。
【０００９】
［４］上記発明の第１の態様に係る空気調和システムは、前記第１流路において検出された冷気測定温度と、前記第２流路において検出された温熱空気測定温度と、前記空気調和機から供給される冷却用空気の測定温度と、前記算出された空気調和機に還流される温熱空気の温度とに基づいて、前記床面吹出し風量調整部の風量を制御する制御手段を備えることを特徴とする。
【００１０】
［５］上記発明の第１の態様に係る空気調和システムは、前記制御手段は、前記第２流路における複数の位置で検出された複数の温熱空気測定温度の平均と前記空気調和機に還流される温熱空気の温度との差に基づいて、前記床面吹出し風量調整部の風量を制御することを特徴とする。
【００１１】
［６］上記発明の第１の態様に係る空気調和システムは、前記判定手段の判定結果に基づいて前記床下空間の冷却用空気と前記空気調和機に還流する温熱空気とを混合させる冷気ミキシング部を備えることを特徴とする。
【００１２】
［７］上記発明の第１の態様に係る空気調和システムは、前記冷気ミキシング部は、前記第２流路に前記床下空間の冷却用空気を供給する風量調整部を備えることを特徴とする。
【００１３】
［８］上記発明の第１の態様に係る空気調和システムは、前記冷気ミキシング部は、前記判定手段の判定結果に応じて、前記空気調和機の吸い込み口近傍の床下の前記床下空間の冷却用空気の第２流路に吹き出させる吹き出し量を前記風量調整部によって調整して、前記吹き出し量が調整された床下空間の冷却用空気と前記空気調和機に還流する温熱空気とを混合させることを特徴とする。
【００１４】
［９］上記発明の第１の態様に係る空気調和システムは、前記床面吹出し風量調整部は、前記コールドアイルの測定温度が、予め定められた温度を超えた場合には、前記空気調和機の吹出し風量を増加させることを特徴とする。
【００１５】
［１０］上記発明の第１の態様に係る空気調和システムは、前記床面吹出し風量調整部は、前記床面吹出し口の開閉を制御することを特徴とする。
【００１６】
［１１］上記発明の第１の態様に係る空気調和システムは、前記床面吹出し風量調整部は、前記床面吹出し口に設置された床面ファンを含むことを特徴とする。
【００１７】
［１２］上記発明の第１の態様に係る空気調和システムは、前記コールドアイル内の温度を測定する温度測定手段とをさらに備えることを特徴とする。
【００１８】
［１３］また、本発明の第２の態様に係る空気調和方法は、機器が設置される二重床の床下空間に空気調和機が冷却用空気を供給し、前記床下空間の冷却用空気が、前記二重床の床下空間から前記二重床の床面の開口部を介して前記床面上で冷却用空気を流す第１流路に供給され、前記第１流路に供給された冷却用空気が前記機器の内部を冷却して温熱空気となって排出され、前記排出される温熱空気が第２流路を介して前記空気調和機に還流される空気調和システムにおける空気調和方法であって、前記第１流路において検出された冷気測定温度と前記第２流路において検出された温熱空気測定温度とに基づいて前記空気調和機の風量を判定するステップと、前記空気調和機の風量を判定した結果に応じて第１流路に供給する冷却用空気の供給量を調整するステップとを備えることを特徴とする。
【００１９】
［１４］また、本発明の第３の態様に係るプログラムは、機器が設置される二重床の床下空間に空気調和機が冷却用空気を供給し、前記床下空間の冷却用空気が、前記二重床の床下空間から前記二重床の床面の開口部を介して前記床面上で冷却用空気を流す第１流路に供給され、前記第１流路に供給された冷却用空気が前記機器の内部を冷却して温熱空気となって排出され、前記排出される温熱空気が第２流路を介して前記空気調和機に還流される空気調和システムが備えるコンピュータに、前記第１流路において検出された冷気測定温度と前記第２流路において検出された温熱空気測定温度とに基づいて前記空気調和機の風量を判定するステップと、前記空気調和機の風量を判定した結果に応じて第１流路に供給する冷却用空気の供給量を調整するステップとを実行させるためのプログラムである。
【発明の効果】
【００２０】
空調機の冷却効果を確保しつつ、連続して安定に運転できる空気調和システム、空気調和方法、及びプログラムを提供することができる。
【図面の簡単な説明】
【００２１】
【図１】第１実施形態における空気調和システム１００の概略構成を示す斜視図である。
【図２】本実施形態における空気調和システム１００を示す縦断断面図である。
【図３】本実施形態における空気調和システム１００のブロック図である。
【図４】床面吹き出し口風量制御部２３９の開口率を定める開口率制御テーブル２１２を示す説明図である。
【図５】空気調和システムにおける処理を示すフローチャート（その１）である。
【図６】空気調和システムにおける処理を示すフローチャート（その２）である。
【図７】コールドアイルの温度を上昇させる処理を示すフローチャートである。
【図８】コールドアイルの温度を下降させる処理を示すフローチャートである。
【図９】第２実施形態における空気調和システム１００Ａのブロック図である。
【発明を実施するための形態】
【００２２】
本発明の実施形態を図面に基づいて説明する。同じ構成には同じ符号を付け説明を省略する場合がある。また、一部の構成を追加して示したり、省略して示したりする場合がある。
【００２３】
＜第１実施形態＞
図１は、本実施形態の空気調和システム１００の概略構成を示す斜視図である。なお、以下の説明では、水平面内において、後述する通路４の幅方向をＸ方向、長手方向をＹ方向とするとともに、鉛直方向をＺ方向として説明する。
【００２４】
図１に示すように、本実施形態の空気調和システム１００は、例えば略箱状に形成された機械室１０１において利用されるものである。機械室１０１は、床１と図示しない壁と天井とで囲まれている。床１から上方に離間して二重床２が設けられ、二重床２の下には床下空間５が設けられている。その二重床２上には、ラック３が例えば２列ごとに対向して設置されている。ラック３が並べて配された間には、ラック３が並べて配される方向（Ｙ軸方向）に延びる通路（間隔）４が形成されている。通路４には床下空間５に貫通する吹き出し口８が形成されている。床下の床下空間５と通路４の空間とが、吹き出し口８を介して連通されている。
そして、吹き出し口８の縁部の全周には、この吹き出し口８を覆う通路吹き出し口風量調整部８Ａが嵌め込まれている。通路吹き出し口風量調整部８Ａには、厚さ方向（Ｚ方向）に貫通する複数の孔が形成されており、それぞれの複数の孔には開口率を調整するダンパーが設けられている。これにより、床下の床下空間５と通路４の空間（以下の説明において「コールドアイル」という場合がある。）とが、通路吹き出し口風量調整部８Ａの複数の孔を介して連通させ、ダンパーの開度に応じた流れる風量を調整することができる。
【００２５】
また、二重床２における空調機（空気調和装置）６の近傍に床下空間５に貫通する吹き出し孔９が形成されている。床下の床下空間５と通路４Ｈの空間とが、吹き出し孔９を介して連通されている。吹き出し孔９の縁部の全周には、この吹き出し孔９を覆う床面吹き出し口風量調整部９Ａが嵌め込まれている。床面吹き出し口風量調整部９Ａには、厚さ方向（Ｚ方向）に貫通する複数の孔が形成されており、それぞれの複数の孔には開口率を調整するダンパーが設けられている。これにより、床下の床下空間５と通路４Ｈの空間（以下の説明において「ホットアイル」という場合がある。）とが、床面吹き出し口風量調整部９Ａの複数の孔を介して連通させ、ダンパーの開度に応じた流れる風量を調整することができる。
【００２６】
次に、機械室１０１において利用される空気調和システム１００について説明する。
空気調和システム１００は、通路４を挟んで対向配置された機器収容用ラック等の構造体（以下、単にラックという。）３と、空調機（空気調和装置）６と、空気の流れを規制するための後述する規制部１０とを備えている。
【００２７】
ラック３は、略直方体形の箱状に形成されており、通信装置等の各種機器を収容するものである。これらラック３は、通路４の長手方向（Ｙ軸方向）に沿って、通路４の幅方向（Ｘ軸方向）両側に複数配列されている。ラック３は、互いに対向する対向面(前面３ｂ)に形成された給気口(不図示)から、通路４の空間の空気を内部に取り込む。取り込まれた空気は、上面３ａまたは背面の排出口から上方または後方（Ｘ軸方向）に向けて排出される。
【００２８】
空調機６は、一の列のラック３の後方（−Ｘ方向）に隔てて配置されている。空調機６には、上面に機械室１０１の上方空間を流動する空気（温熱空気Ａ２）を吸い込む還流口（レタン口）６ａが、下面に冷却用空気Ａ１を吹き出す吹き出し口６ｂが設けられている。空調機６は、温熱空気Ａ２を還流口６ａから吸引し、冷却した後、吹き出し口６ｂから冷却用空気Ａ１を吹き出す。
【００２９】
規制部１０は、ラック３に挟まれた通路４の上方（Ｚ方向）を遮蔽する上方遮蔽部２０（ヘッドキャップ）と、通路４のＹ軸方向の端部を遮蔽する端部遮蔽部３０（エンドキャップ、３０Ａ，３０Ｂ）とを備えている。
上方遮蔽部２０は、通路４を挟んで両側に配されたラック３の上面３ａ同士の間において、通路４の上側全域を覆うようにして架け渡されている。これにより、通路４とラック３の上方空間とが区画され、ラック３の上面３ａまたは背面の排気口から排出された温熱空気Ａ２が通路４の空間に還流することが規制される。よって、通路４の空間が二重床２の床上から上方遮蔽部２０に亘って冷却用空気Ａ１で常に満たされることになる。
【００３０】
図２は、本実施形態における空気調和システム１００を示す縦断断面図である。
この図２に示すように、二重床２上に空調機６と、複数の対となるラック３（対となるラック３−１、３−２、３−３）とが設けられている。
【００３１】
空調機６からＸ方向に、符号ＨＡ１を附した領域を隔ててラック３−１の一方のラックが配されており、更に符号ＣＡ１を附した領域を隔てて符号ＨＡ２を附した領域との間を仕切るように、ラック３−１の他方のラックが配されている。
符号ＣＡ１を附した領域は、空調機６からの冷却用空気Ａ１をラック３−１に供給する流路（第１流路）となる。以下、符号ＣＡ１を附した領域をコールドアイルＣＡ１という。また、符号ＨＡ１と符号ＨＡ２を附したそれぞれの領域は、ラック３−１から排出された温熱空気が空調機６に還流する流路（第２流路）となる。以下、符号ＨＡ１と符号ＨＡ２を附したそれぞれの領域をホットアイルＨＡ１，ＨＡ２という。
【００３２】
同様に、さらにＸ方向に、符号ＨＡ２を附した領域を隔ててラック３−２の一方のラックが配されており、更に符号ＣＡ２を附した領域を隔てて符号ＨＡ３を附した領域との間を仕切るように、ラック３−２の他方のラックが配されている。
符号ＣＡ２を附した領域は、空調機６からの冷却用空気Ａ１をラック３−２に供給する流路（第１流路）となる。以下、符号ＣＡ２を附した領域をコールドアイルＣＡ２という。また、符号ＨＡ２と符号ＨＡ３を附したそれぞれの領域は、ラック３−２から排出された温熱空気が空調機６に還流する流路（第２流路）となる。以下、符号ＨＡ２と符号ＨＡ３を附したそれぞれの領域をホットアイルＨＡ２，ＨＡ３という。
【００３３】
同様に、さらにＸ方向に、符号ＨＡ３を附した領域を隔ててラック３−３の一方のラックが配されており、更に符号ＣＡ３を附した領域を隔てて符号ＨＡ４を附した領域との間を仕切るように、ラック３−３の他方のラックが配されている。
符号ＣＡ３を附した領域は、空調機６からの冷却用空気Ａ１をラック３−３に供給する流路（第１流路）となる。以下、符号ＣＡ３を附した領域をコールドアイルＣＡ３という。また、符号ＨＡ３と符号ＨＡ４を附したそれぞれの領域は、ラック３−３から排出された温熱空気が空調機６に還流する流路（第２流路）となる。以下、符号ＨＡ３と符号ＨＡ４を附したそれぞれの領域をホットアイルＨＡ３，ＨＡ４という。
【００３４】
本実施形態におけるホットアイルＨＡ１、ＨＡ２、ＨＡ３、ＨＡ４内の所定の高さに、当該ホットアイルの温度を検出するホットアイル温度検出部１１−１、１１−２、１１−３、１１−４がそれぞれ設けられている。ホットアイル温度検出部１１−１、１１−２、１１−３、１１−４を纏めて示す場合には単にホットアイル温度検出部１１という。ここで、ホットアイル温度検出部１１−ｍ（ｍはｎ以下の自然数、ｎは対象とするホットアイル温度検出部１１の個数を示す。）によって検出された温度を測定温度ＴＨＡｍとして示す。この図２に示される構成においては、ｎの値は４である。
【００３５】
本実施形態におけるコールドアイルＣＡ１、ＣＡ２、ＣＡ３内の所定の高さに、当該コールドアイルの温度を検出するコールドアイル温度検出部１２−１、１２−２、１２−３がそれぞれ設けられている。コールドアイル温度検出部１２−１、１２−２、１２−３を纏めて示す場合には単にコールドアイル温度検出部１２という。ここで、コールドアイル温度検出部１２−ｍ（ｍはｑ以下の自然数、ｑは対象とするコールドアイル温度検出部１２の個数を示す。）によって検出された温度を測定温度ＴＣＡｍとして示す。この図２に示される構成においては、ｑの値は３である。
【００３６】
本実施形態における空調機吹き出し温度検出部１４は、空調機６の吹き出し口６ｂの近傍に設けられ、吹き出される冷却用空気Ａ１の温度を検出する。
【００３７】
本実施形態におけるコールドアイルＣＡ１、ＣＡ２、ＣＡ３の通路吹き出し口８−１、８−２、８−３には、通路吹き出し口風量調整部８Ａとしての通路吹き出し口風量調整部８Ａ−１、８Ａ−２、８Ａ−３がそれぞれ設けられている。
【００３８】
上記のように構成された空気調和システム１００において、例えば、ラック３−１における温度差、要するにコールドアイル温度検出部１２−１とホットアイル温度検出部１１−１又は１１−２とによって検出される温度差ΔＴ１を７．５℃（度）とする。この場合の通路吹き出し口風量調整部８Ａ−１の床開口率を５０％とする。
ラック３−２における温度差、要するにコールドアイル温度検出部１２−２とホットアイル温度検出部１１−２又は１１−３とによって検出される温度差ΔＴ２を５℃（度）とする。この場合の通路吹き出し口風量調整部８Ａ−２の床開口率を３３％とする。
ラック３−３における温度差、要するにコールドアイル温度検出部１２−３とホットアイル温度検出部１１−３又は１１−４とによって検出される温度差ΔＴ３を１５℃（度）とする。この場合の通路吹き出し口風量調整部８Ａ−３の床開口率を１００％とする。
【００３９】
このように、通路吹き出し口風量調整部８Ａの床開口率を調整することにより、温度差の値が異なる場合においても、同一の空調機６から吹き出される冷却用空気Ａ１によってラック３をそれぞれ適した風量で冷却することが可能になる。なお、図２において、冷却用空気Ａ１と温熱空気Ａ２の流れの一部を省略して示している。
【００４０】
図３は、本実施形態における空気調和システム１００のブロック図である。
この図３に示す空気調和システム１００は、空調機６、通路吹き出し口風量調整部８Ａ、床面吹き出し口風量調整部９Ａ、ホットアイル温度検出部１１、コールドアイル温度検出部１２、空調機吹き出し温度検出部１４、操作入力部１５、及び、制御装置２００を備える。
【００４１】
空調機６は、二重床２の床下空間５にラック３（機器）を冷却する冷却用空気Ａ１を供給する。二重床２の床下空間５の冷却用空気Ａ１が、二重床２の床下空間５から通路吹き出し口風量調整部８Ａを介して床面上で冷却用空気Ａ１を流すコールドアイルＣＡ１からＣＡ３（第１流路）にそれぞれ供給される。コールドアイルＣＡ１からＣＡ３にそれぞれ供給された冷却用空気Ａ１は、ラック３（機器）に取り込まれ、ラック３（機器）を冷却して温熱空気Ａ２となってラック３（機器）から排出される。排出される温熱空気Ａ２がホットアイルＨＡ１からＨＡ４（第２流路）を介して空調機６に還流される。なお、本実施形態の空調機６が二重床２の床下空間５に供給した冷却用空気Ａ１の一部が、制御装置２００の制御に応じて、二重床２の床下空間５から床面吹き出し口風量調整部９Ａを介してホットアイルＨＡ１（第２流路）に供給され、温熱空気Ａ２とともに空調機６に還流される。
【００４２】
操作入力部１５は、空気調和システム１００を機能させるユーザーの操作入力を検出し、検出した操作情報を制御装置２００に送る。操作情報には、空調機６の運転を指示する運転指令情報、制御装置２００の処理に用いられる判定閾値情報等が含まれる。
【００４３】
制御装置２００は、空調機６が噴き出す風量と温度と、通路吹き出し口風量調整部８Ａの風量と、床面吹き出し口風量調整部９Ａの風量と、を制御する。
本実施形態における制御装置２００は、記憶部２１０と制御部２３０とを備える。
記憶部２１０は、判定閾値を記憶する判定閾値記憶部２１１を備えるとともに、制御部２３０の処理を行うためのプログラムと開口率制御テーブル２１２とを記憶する。
判定閾値記憶部２１１は、制御部２３０によって参照され、制御部２３０の各判定処理の基準とする閾値データを記憶する。例えば、閾値データとして、「コールドアイル下限値」、「アイル間温度差上限値」、「アイル間温度差下限値」、「閾値Ｔｙ」などを含む。
開口率制御テーブル２１２は、床面吹き出し口の開口率を生成するための変換テーブルである。
判定閾値記憶部２１１が記憶するコールドアイル温度下限値、アイル間温度差上限値、アイル間温度差下限値及び閾値Ｔｙなどの判定閾値情報と、開口率制御テーブル２１２との詳細は後述とする。
【００４４】
制御部２３０は、アイル内温度制御部２３１、操作入力検出部２３５、空調機風量制御部２３６、空調機吹き出し温度制御部２３７、通路吹き出し口風量制御部２３８、及び、床面吹き出し口風量制御部２３９を備える。
アイル内温度制御部２３１は、空調機吸い込み温度算出部２３２とアイル温度判定部２３３とを備える。
空調機吸い込み温度算出部２３２は、ホットアイル温度検出部１１が検出したホットアイル部の温度情報（ＴＨＡ）と、コールドアイル温度検出部１２が検出したコールドアイル部の温度情報（ＴＣＡ）と、空調機吹き出し温度検出部１４が検出した空調機６の吹き出し口部の温度情報と、に基づいて、空調機６の風量を判定する判定する。また、空調機吸い込み温度算出部２３２は、ホットアイル温度検出部１１によって検出された温度の平均化処理を実施する。
アイル温度判定部２３３は、ホットアイル温度検出部１１とコールドアイル温度検出部１２とによって検出された温度に基づいて空調機６の風量を判定する。
【００４５】
空調機風量制御部２３６は、アイル内温度制御部２３１からの指令に従い空調機６の風量を制御する。例えば、アイル内温度制御部２３１からの指令には、アイル温度判定部２３３による判定の結果に基づいた空調機６の風量を制御する情報を含む。
空調機吹き出し温度制御部２３７は、アイル内温度制御部２３１からの指令に従い空調機６の吹き出し温度を制御する。例えば、アイル内温度制御部２３１からの指令には、アイル温度判定部２３３による判定の結果に基づいた空調機６の風量を制御する情報を含む。
通路吹き出し口風量制御部２３８は、アイル内温度制御部２３１からの指令に従い通路吹き出し口風量制御部２３８の風量を調整する。例えば、制御部２３０は、アイル温度判定部２３３による判定の結果に基づいて通路吹き出し口風量制御部２３８の開口率を制御して風量を調整する。この場合、アイル内温度制御部２３１からの指令には、通路吹き出し口風量制御部２３８の開口率を制御する情報を含む。
床面吹き出し口風量制御部２３９は、アイル内温度制御部２３１からの指令に従い床面吹き出し口風量制御部２３９の風量を調整する。例えば、制御部２３０は、アイル温度判定部２３３による判定の結果に基づいた床面吹き出し口風量制御部２３９の開口率を制御制御して風量を調整する。この場合、アイル内温度制御部２３１からの指令には、床面吹き出し口風量制御部２３９の開口率を制御する情報を含む。
【００４６】
図４は、通路吹き出し口風量制御部２３８の開口率を定める開口率制御テーブル２１２を示す説明図である。
この図４に示される通路吹き出し口風量制御部２３８の開口率を定めるデータは、開口率制御テーブル２１２として記憶部２３１に記憶される。
開口率制御テーブル２１２において、温度差ΔＴmと温度差ΔＴmに応じて定められる床面吹き出し口の開口率（％）とが対応付けられている。例えば、温度差ΔＴmに応じて、床面吹き出し口の開口率（％）を以下のように定める。温度差ΔＴm が、0≦ΔＴm＜3の場合に０（％）、3≦ΔＴm＜5の場合に２５（％）、5≦ΔＴm＜7の場合に３３（％）、7≦ΔＴm＜9の場合に５０（％）、9≦ΔＴm＜11の場合に６６（％）、11≦ΔＴm＜13の場合に７５（％）、13≦ΔＴmの場合に１００（％）とする。
このように温度差ΔＴが大きくなるほど開口率を大きくするように設定することにより、温度差の大きいコールドアイルに供給する風量を多くすることができる。
【００４７】
本実施形態における空気調和システム１００は、次に示す制御方法で機械室１０１内における風量と温度を制御する。
【００４８】
第１に、ホットアイルの測定温度ＴＨＡ1〜ＴＨＡn、コールドアイルの測定温度ＴＣＡ1〜ＴＣＡq、空調機吹出し温度ＴＯに基づいて、空調機６の吸込み口温度TIを算出する。
例えば、ホットアイルに設けたホットアイル温度検出部１１、コールドアイルに設けたコールドアイル温度検出部１２および空調機６の吹出し口６ｂ近傍に設けた空調機吹き出し温度検出部１４で、それぞれの位置の温度を測定する。ホットアイル温度検出部１１、コールドアイル温度検出部１２および空調機吹き出し温度検出部１４によって測定された温度をそれぞれ、ホットアイルの測定温度ＴＨＡ1〜ＴＨＡn、コールドアイルの測定温度ＴＣＡ1〜ＴＣＡq、空調機吹出し温度ＴＯとして示す。ホットアイルの測定温度ＴＨＡ1〜ＴＨＡnに基づいて、各コールドアイルを挟むホットアイルの測定温度の平均値（ＡｖＴ1〜ＡｖＴ(n-1)）を算出する。このように算出した各コールドアイルを挟むホットアイルの測定温度の平均値（ＡｖＴ1〜ＡｖＴ(n-1)）と予め設定された空調機６のデフォルト温度差（吸込む空気の温度と吹出し空気の温度の温度差）により設定される吸込み口温度TIを算出する。例えば、各コールドアイルを挟むホットアイルの測定温度の平均値（ＡｖＴ1〜ＡｖＴ(n-1)）をもとにして平均をとりその平均値と空調機6のデフォルト温度差から吸込み口温度TIを算出する。なお、各コールドアイルを挟むホットアイルの測定温度の平均値（ＡｖＴ1〜ＡｖＴ(n-1)）をもとにした平均値を得る演算は、各コールドアイルの風量に応じて重みづけした加重平均としてもよい。
【００４９】
第２に、コールドアイルとそれを挟むホットアイルの温度差（ＴＨＡm-ＴＨＣmまたはＴＨＡm+1-ＴＨＣm）が予め設定された許容範囲を超えるコールドアイルｍの床面吹出し口の開口率を調整する。
例えば、コールドアイルとそれを挟むホットアイルの温度差（ＴＨＡm-ＴＨＣmまたはＴＨＡm+1-ＴＨＣm）が予め設定された許容値Tｘ以上であるコールドアイルｍが存在すれば、該当コールドアイルｍの床面吹出し口の開口率を高くして、許容値Tｘ内に収まれば開口率を下げる。なお、前述の図４に示す開口率制御テーブル２１２のように開口率の設定が段階的に設定される場合、開口率を高める際には開口率が高くなるように開口率の設定を１段階上げ、開口率を下げる際には開口率が低くなるように開口率を１段階下げるようにする。
【００５０】
第３に、上記の判定の結果、開口率が最大（100%）になっている場合には、空調機６の吹出し温度を下げる。温度差が許容値Tｘ内に収まれば吹出し温度を上げる。
【００５１】
第４に、吸込み口温度TIと、ホットアイルの測定温度の平均値（ＡｖＴ1〜ＡｖＴ(n-1)）との温度差（ΔＴ1〜ΔＴn-1）とに応じてコールドアイルへの吹出し量を調整する。
例えば、吸込み口温度TIと、ホットアイルの測定温度の平均値（ＡｖＴ1〜ＡｖＴ(n-1)）との温度差（ΔＴ1〜ΔＴn-1）を算出し、ホットアイルに挟まれているコールドアイルの床面吹出し口の開口率をその温度差に応じて設定して当該コールドアイルへの吹出し量を制御する。例えば、開口率は、温度差（ΔＴ1〜ΔＴn-1）に基づいて、前述の図４に示した開口率制御テーブル２１２を参照して定める。
【００５２】
第５に、吸込み口温度TIと、ホットアイル温度検出部１１によって検出されたホットアイルの測定温度ＴＨＡ1〜ＴＨＡnの平均値とを比較して、予め定められた閾値Ty以上の差がある場合に、該当コールドアイルの通路吹出し口の開口率を１段階上げる。
【００５３】
第６に、前述の判定の結果、すでに開口率が最大（100%）になっている場合には、空調機６の近傍に設けられている床面吹き出し口風量調整部９Ａを開口してホットアイルＨＡ１に床下空間５の冷却用空気Ａ１の一部を供給し、床下空間５の冷却用空気Ａ１の一部と空調機６の還流口６ａ近傍の温熱空気Ａ２とを混合させて、温熱空気Ａ２の温度を低減させて空調機６に還流する。
【００５４】
次に、図５から図８を参照して、空気調和システムにおける制御の手順の一実施態様について説明する。図５と図６は、空気調和システムにおける処理を示すフローチャートである。
【００５５】
まず、制御部２３０は、空調機６所定の風量で運転する（ステップＳ１０）。
【００５６】
次に、アイル内温度制御部２３１は、ホットアイルの測定温度ＴＨＡ1〜ＴＨＡn、コールドアイルの測定温度ＴＣＡ1〜ＴＣＡq、空調機吹出し温度ＴＯを計測する。空調機吸い込み温度算出部２３２は、ホットアイルの測定温度ＴＨＡ1〜ＴＨＡn、コールドアイルの測定温度ＴＣＡ1〜ＴＣＡq、空調機吹出し温度ＴＯに基づいて、空調機６の吸い込み温度ＴＩを算出する（ステップＳ２２）。
【００５７】
次に、アイル温度判定部２３３は、式（１）に示す条件、すなわちコールドアイルの測定温度ＴＣＡmが、コールドアイル温度下限値ＴＣＡmin以下とする条件を満たすコールドアイルmが存在するか否かを判定する（ステップＳ２４）。
【００５８】
ＴＣＡm≦ＴＣＡmin  ・・・（１）
【００５９】
ステップＳ２４の判定の結果、コールドアイルの測定温度ＴＣＡmが、コールドアイル温度下限値ＴＣＡmin以下になっているコールドアイルmが存在すると判定した場合（ステップＳ２４：Ｙｅｓ）、制御部２３０は、当該コールドアイルの温度を上昇させる処理を実施して（ステップＳ３０）、ステップＳ２２の処理に進む。
【００６０】
一方、ステップＳ２４の判定の結果、コールドアイルの測定温度ＴＣＡmが、コールドアイル温度下限値ＴＣＡmin以下になっているコールドアイルmが存在しないと判定した場合（ステップＳ２４：Ｎｏ）、アイル温度判定部２３３は、式（２）に示す条件、すなわち最寄りのホットアイルの測定温度ＴＨＡmがコールドアイルの測定温度ＴＣＡmより高い所定の閾値温度（Tx max）以上とする条件を満たすコールドアイルmが存在するか否かを判定する。ここで、閾値温度（Tx max）は、ホットアイルの測定温度ＴＨＡmとコールドアイルの測定温度ＴＣＡmとの温度差の上限値を示す（ステップＳ２５）。
【００６１】
ＴＨＡm-ＴＣＡm≧Tx max、または、ＴＨＡm+1-ＴＣＡm≧Txmax  ・・・（２）
【００６２】
ステップＳ２５の判定の結果、最寄りのホットアイルの測定温度ＴＨＡmがコールドアイルの測定温度ＴＣＡmより高い所定の閾値温度（Tx max）以上になるコールドアイルmが存在すると判定した場合（ステップＳ２５：Ｙｅｓ）、制御部２３０は、当該コールドアイルの温度を下降させる処理を実施して（ステップＳ４０）、ステップＳ２２の処理に進む。
【００６３】
一方、ステップＳ２５の判定の結果、最寄りのホットアイルの測定温度ＴＨＡmがコールドアイルの測定温度ＴＣＡmより高い所定の閾値温度（Tx max）以上になるコールドアイルmが存在しないと判定した場合（ステップＳ２５：Ｎｏ）、アイル温度判定部２３３は、式（３）に示す条件、すなわち、最寄りのホットアイルの測定温度ＴＨＡmがコールドアイルの測定温度ＴＣＡmより低い所定の閾値温度（Tx mix）以下になるコールドアイルmが存在するか否かを判定する。ここで、閾値温度（Tx mix）は、ホットアイルの測定温度ＴＨＡmとコールドアイルの測定温度ＴＣＡmとの温度差の下限値を示す（ステップＳ２６）。
【００６４】
ＴＨＡm-ＴＣＡm≦Tx min、または、ＴＨＡm+1-ＴＣＡm≦Tx min  ・・・（３）
【００６５】
ステップＳ２６の判定の結果、最寄りのホットアイルの測定温度ＴＨＡmがコールドアイルの測定温度ＴＣＡmより低い所定の閾値温度（Tx mix）以下になるコールドアイルmが存在すると判定した場合（ステップＳ２６：Ｙｅｓ）、アイル内温度制御部２３１は、通路mに設けられた吹出し口（通路吹き出し口風量調整部８Ａ）の開口率を減少させ（ステップＳ５０）、ステップＳ２８に進む。
【００６６】
一方、ステップＳ２６の判定の結果、最寄りのホットアイルの測定温度ＴＨＡmがコールドアイルの測定温度ＴＣＡmより低い所定の閾値温度（Tx mix）以下になるコールドアイルmが存在しないと判定した場合（ステップＳ２６：Ｙｅｓ）、或いは、ステップ５０の処理を終えた場合、アイル内温度制御部２３１は、通路mに設けられた全通路の吹き出し口（通路吹き出し口風量調整部８Ａ）の開口率が最小（ＭＩＮ）に設定されているか否かを判定する（ステップＳ２８）。
【００６７】
ステップＳ２８の判定の結果、全通路の吹き出し口の開口率が最小（ＭＩＮ）に設定されていると判定した場合（ステップＳ２８：Ｙｅｓ）、ステップＳ２２に進む。
一方、ステップＳ２８の判定の結果、全通路の吹き出し口の開口率が最小（ＭＩＮ）に設定されていないと判定した場合（ステップＳ２８：Ｎｏ）、ステップＳ６２（図６）に進む。
【００６８】
次に、図６に示すように、空調機吸い込み温度算出部２３２は、コールドアイルを挟むホットアイルの測定温度の平均値ＡｖＴ1〜ＡｖＴ(n-1)を算出する（ステップＳ６２）。
次に、空調機吸い込み温度算出部２３２は、上記ホットアイルの測定温度の平均値ＡｖＴ1〜ＡｖＴ(n-1)と空調機吸込み口温度TIの温度差ΔＴ1〜ΔＴn-1を算出する（ステップＳ６４）。
次に、通路吹き出し口風量制御部２３８は、上記の温度差ΔＴ1〜ΔＴn-1に応じてコールドアイルの吹きだし口（通路吹き出し口風量調整部８Ａ）の開口率を制御する（ステップＳ６６）。
【００６９】
次に、式（４）に示す条件、すなわち、上記の温度差ΔＴ1〜ΔＴn-1のうちの何れかの温度差ΔＴmが予め定められた閾値Ｔy以上となるコールドアイルmが存在するか否かを判定する（ステップＳ６８）。
【００７０】
ΔＴm≧Ｔy  ・・・（４）
【００７１】
ステップＳ６８における判定の結果、上記の温度差ΔＴ1〜ΔＴn-1のうちの何れかの温度差ΔＴmが予め定められた閾値Ｔy以上となるコールドアイルmが存在しないと判定した場合（ステップＳ６８：Ｎｏ）、床面吹き出し口風量制御部２３９は、空調機６の近くのホットアイルの吹出し口（床面吹き出し口風量調整部９Ａ）が開口中であるか否かを判定する（ステップＳ７２）。
ステップＳ７２における判定の結果、空調機６の近くのホットアイルの吹出し口が開口中でないと判定した場合、通路吹き出し口風量制御部２３８は、通路mに設けられた吹出し口（通路吹き出し口風量調整部８Ａ）の開口率を減少させて（ステップＳ７４）、ステップＳ２２（図５）に進む。
【００７２】
一方、ステップＳ７２における判定の結果、空調機６の近くのホットアイルの吹出し口が開口中であると判定した場合、床面吹き出し口風量制御部２３９は、空調機６の近くのホットアイルの吹出し口（床面吹き出し口風量調整部９Ａ）を閉口させて（ステップＳ７６）、ステップＳ２２（図５）に進む。
【００７３】
また、ステップＳ６８における判定の結果、上記の温度差ΔＴ1〜ΔＴn-1のうちの何れかの温度差ΔＴmが予め定められた閾値Ｔy以上となるコールドアイルmが存在すると判定した場合（ステップＳ６８：Ｙｅｓ）、アイル内温度制御部２３１は、通路mの吹き出し口の開口率が最大（ＭＡＸ）となっているか否かを判定する（ステップＳ８２）。
【００７４】
ステップＳ８２における判定の結果、通路mの吹き出し口の開口率が最大（ＭＡＸ）となっていないと判定した場合（ステップＳ８２：Ｎｏ）、通路吹き出し口風量制御部２３８は、通路mに設けられた吹出し口（通路吹き出し口風量調整部８Ａ）の開口率を増加させて（ステップＳ８４）、ステップＳ２２（図５）に進む。
【００７５】
一方、ステップＳ８２における判定の結果、通路mの吹き出し口の開口率が最大（ＭＡＸ）となっていると判定した場合（ステップＳ８２：Ｙｅｓ）、床面吹き出し口風量制御部２３９は、空調機６の近くのホットアイルの吹出し口（床面吹き出し口風量調整部９Ａ）を開口させて（ステップＳ８６）、ステップＳ２２（図５）に進む。
【００７６】
図７は、コールドアイルの温度を上昇させる処理を示すフローチャートである。
また、通路mの吹き出し口の開口率が最小（ＭＩＮ）となっているか否かを判定する（ステップＳ４２）。ステップＳ４２における判定の結果、通路mの吹き出し口の開口率が最小（ＭＩＮ）となっていないと判定した場合（ステップＳ４２：Ｎｏ）、通路吹き出し口風量制御部２３８は、通路mに設けられた吹出し口（通路吹き出し口風量調整部８Ａ）の開口率を減少させて（ステップＳ４４）、温度を上昇させる処理を終える。
【００７７】
一方、ステップＳ４２における判定の結果、通路mの吹き出し口の開口率が最小（ＭＩＮ）となっていると判定した場合（ステップＳ４２：Ｙｅｓ）、空調機温度制御部２３７は、空調機６の吹き出し温度を上昇させて（ステップＳ４６）、温度を上昇させる処理を終える。
【００７８】
図８は、コールドアイルの温度を下降させる処理を示すフローチャートである。
まず、通路mの吹き出し口の開口率が最大（ＭＡＸ）となっているか否かを判定する（ステップＳ５２）。ステップＳ５２における判定の結果、通路mの吹き出し口の開口率が最大（ＭＡＸ）となっていないと判定した場合（ステップＳ５２：Ｎｏ）、通路吹き出し口風量制御部２３８は、通路mに設けられた吹出し口（通路吹き出し口風量調整部８Ａ）の開口率を増加させて（ステップＳ５４）、温度を下降させる処理を終える。
【００７９】
一方、ステップＳ５２における判定の結果、通路mの吹き出し口の開口率が最大（ＭＡＸ）となっていると判定した場合（ステップＳ５２：Ｙｅｓ）、空調機温度制御部２３７は、空調機６の吹き出し温度を低減させて（ステップＳ５６）、温度を下降させる処理を終える。
【００８０】
以上に示すように制御したことにより、空気調和システム１００は、空調機６の冷却効果を確保しつつ、連続して安定に運転できる。
なお、空気調和システム１００は、過度に空調機６の風量を増加させることにより、コールドアイルへの冷気吹出し風量や、ラック３が吸い込む流量を増加させることなく、空調機６が吸い込む温熱空気Ａ２の温度を低減させている。このように、空調機６が吸い込む温熱空気Ａ２の温度を制御することができ、空調機６の冷却機能を稼働可能な温度を超えないようにすることが可能になる。
また、空気調和システム１００は、過度に空調機６の風量を増加させずに空調機６を制御可能であることから、規制部１０の過正圧を防ぐことができる。これにより、規制部１０から冷却用空気Ａ１がホットアイルに漏れ出したり、規制部１０に過度の応力がかからないようにしたりできる。
【００８１】
さらに、本実施形態の空気調和システム１００は、以下に例示する場合に適用することにより、所望の効果を奏する。
例えば、省電力化を目的に、ラック内に設けられているファンの風量を低減させる処置が施される場合がある。この処置は、ラックから吹き出す温熱空気Ａ２の温度が上昇する要因となる。このように、装置のユーザーがファンの風量を意識的に低減させた場合であっても、本実施形態の空気調和システム１００は、必要に応じて空調機６が吸い込む温熱空気Ａ２の温度を低減できることから、空調機６の冷却効果を確保しつつ、連続して安定に運転することができる。
【００８２】
また、空調機６が空冷パッケージ型である場合、空調機６が吸い込む温熱空気Ａ２の温度が所定の温度を超えると、冷房負荷の増大を検出し、過負荷運転を避けるため冷房能力を垂下させる制御を行って、自己の機能を保護する。このような垂下状態に至ると空調機６は、所定の温度の冷却用空気Ａ１を供給することができなくなり、装置を冷却できなくなる。
このように、空冷パッケージ型の空調機６が過負荷運転を防ぐための保護動作状態にいたる恐れがある場合であっても、本実施形態の空気調和システム１００は、必要に応じて空調機６が吸い込む温熱空気Ａ２の温度を調整することから、保護動作状態に至らないように空調機６が吸い込む温熱空気Ａ２の温度を低減できることから、空調機６の冷却効果を確保しつつ、連続して安定に運転することができる。
【００８３】
（第１実施形態における変形例）
第１の実施形態の変形例について説明する。
本変形例における通路吹出し風量調整部８Ａは、通路吹出し口８に設置された床面ファンであってもよい。このように、通路吹出し風量調整部８Ａが床面ファンを備えることにより、床下空間５からの冷却用冷気Ａ１を効率よくコールドアイルに吹き込むことができ、また、風量の調整も容易となる。
さらに、本変形例における通路吹出し風量調整部８Ａは、通路吹出し口８を開閉させる開閉蓋を備えていてもよい。このように、通路吹出し風量調整部８Ａが開閉蓋を備えることにより、必要以上の冷却用冷気Ａ１がコールドアイルに吹き込まないように制限することができ、また、風量の調整の幅が広くなる。
本変形例を摘要した場合も、前述の実施形態と同様に、空調機６の冷却効果を確保しつつ、連続して安定に運転することができる。
【００８４】
＜第２実施形態＞
図１―２、図４から図９を参照して本実施形態について説明する。
【００８５】
図９は、本実施形態における空気調和システム１００Ａのブロック図である。
この図９に示す空気調和システム１００Ａは、空調機６、通路吹き出し口風量調整部８Ｂ、床面吹き出し口風量調整部９Ｂ、ホットアイル温度検出部１１、コールドアイル温度検出部１２、空調機吹き出し温度検出部１４、操作入力部１５、及び、制御装置２００Ａを備える。
通路吹き出し口風量調整部８Ｂには、通路吹き出し口風量調整部８Ａと同様に、厚さ方向（Ｚ方向）に貫通する複数の孔が形成されており、それぞれの複数の孔には開口率を調整するダンパーが設けられている。これにより、床下の床下空間５とコールドアイルとが、通路吹き出し口風量調整部８Ｂの複数の孔を介して連通させ、ダンパーの開度に応じて風量を調整することができる。なお、通路吹き出し口風量調整部８Ｂにおけるダンパーの開度は、ユーザーの操作に応じた開度に設定可能とする。
【００８６】
床面吹き出し口風量調整部９Ｂには、床面吹き出し口風量調整部９Ａと同様に、厚さ方向（Ｚ方向）に貫通する複数の孔が形成されており、それぞれの複数の孔には開口率を調整するダンパーが設けられている。これにより、床下の床下空間５とホットアイルとが、床面吹き出し口風量調整部９Ａの複数の孔を介して連通させ、ダンパーの開度に応じた流れる風量を調整することができる。なお、床面吹き出し口風量調整部９Ｂにおけるダンパーの開度は、ユーザーの操作に応じた開度に設定可能とする。
【００８７】
制御装置２００Ａは、空調機６が噴き出す風量と温度とを制御するとともに、通路吹き出し口風量調整部８Ａの風量と、床面吹き出し口風量調整部９Ａの風量との設定情報を出力する。
本実施形態における制御装置２００Ａは、記憶部２１０と制御部２３０Ａとを備える。
【００８８】
制御部２３０Ａは、アイル内温度制御部２３１、操作入力検出部２３５、空調機風量制御部２３６、空調機吹き出し温度制御部２３７、吹き出し口風量設定情報出力部２４０を備える。
【００８９】
吹き出し口風量設定情報出力部２４０は、アイル内温度制御部２３１において算出された通路吹き出し口風量制御部２３８の開口率を制御する情報と、床面吹き出し口風量制御部２３９の開口率を制御する情報とを出力する。
例えば、吹き出し口風量設定情報表示部２４０は、情報を表示する表示パネルを備えており、備える表示パネルに通路吹き出し口風量制御部２３８の開口率を制御する情報と、床面吹き出し口風量制御部２３９の開口率を制御する情報とを表示させる。
ユーザーは、表示パネルに表示された情報に従って、通路吹き出し口風量調整部８Ｂ、及び、床面吹き出し口風量調整部９Ｂの開度を調整する。
このように、前述の第１実施形態においては、通路吹き出し口風量調整部８Ａ、及び、床面吹き出し口風量調整部９Ａを制御装置２００が制御するものとしたが、本実施形態のようにユーザーの操作による通路吹き出し口風量調整部８Ａ、及び、床面吹き出し口風量調整部９Ａの開度の調整を実施するようにしても、空調機６の吸い込み温度を制御することができるため、空気調和システム１００Ａは、空調機６の冷却効果を確保しつつ、連続して安定に運転することができる。
【００９０】
（第２実施形態の変形例）
第２の実施形態の変形例について説明する。
本変形例における吹き出し口風量設定情報表示部２４０は、通信処理部を備えており、外部の装置に通路吹き出し口風量制御部２３８の開口率を制御する情報と、床面吹き出し口風量制御部２３９の開口率を制御する情報とを送信して、外部の装置において表示させてもよい。ユーザーは、外部装置に表示された情報に従って、通路吹き出し口風量調整部８Ｂ、及び、床面吹き出し口風量調整部９Ｂの開度の調整が可能になる。
このように情報を表示させる装置を外部の装置にしても、空気調和システム１００Ａは、前述の実施形態に例示した場合と同様に空調機６の冷却効果を確保しつつ、連続して安定に運転することができる。
【００９１】
以上の実施形態に示したように、空気調和システム１００（１００Ａ）においては、ラック３が設置される二重床２があり、当該二重床２の床下空間５に空調機６が冷却用空気Ａ１を供給し、前記床下空間５の冷却用空気Ａ１が、前記二重床２の床下空間５から前記二重床２の床面の開口部を介して前記床面上で冷却用空気Ａ１を流す第１流路（コールドアイル）に供給される。第１流路に供給された冷却用空気Ａ１が前記ラック３の内部を冷却して温熱空気Ａ２となって排出され、前記排出される温熱空気Ａ２が第２流路（ホットアイル）を介して前記空調機６に還流される。
このような空気調和システム１００（１００Ａ）におけるアイル内温度制御部２３１（２３１Ａ）は、第１流路において検出された冷気測定温度と第２流路において検出された温熱空気Ａ２の測定温度とに基づいて空調機６の風量を判定する。通路吹出し風量調整部８Ａは、アイル内温度制御部２３１（２３１Ａ）による判定結果に応じて第１流路に供給する冷却用空気Ａ１の供給量（コールドアイルの床面吹出し風量）を調整する。
これにより、空気調和システム１００（１００Ａ）は、空調機６の冷却効果を確保しつつ、連続して安定に運転することができる。
【００９２】
以上、本発明の実施形態について説明したが、上述した空気調和システム１００（１００Ａ）及び制御装置２００（２００Ａ）は、内部にコンピュータシステムを有している。そして、上述した処理に関する一連の処理の過程は、プログラムの形式でコンピュータ読み取り可能な記録媒体に記憶されており、このプログラムをコンピュータが読み出して実行することによって、上記処理が行われる。すなわち、空気調和システム１００（１００Ａ）及び制御装置２００（２００Ａ）における、各処理は、ＣＰＵ等の中央演算処理装置がＲＯＭやＲＡＭ等の主記憶装置に上記プログラムを読み出して、情報の加工、演算処理を実行することにより、実現されるものである。ここでいうコンピュータシステムとは、ＣＰＵ及び各種メモリーやＯＳ、周辺機器等のハードウェアを含むものである。
【００９３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００９４】
以上、本発明の実施の形態について説明したが、本発明の空気調和システム１００（１００Ａ）及び制御装置２００（２００Ａ）は、上述の図示例にのみ限定されるものではなく、本発明の要旨を逸脱しない範囲内において種々変更を加え得ることは勿論である。
【符号の説明】
【００９５】
１００、１００Ａ  空気調和システム、
２００、２００Ａ  制御装置、
２３０、２３０Ａ  制御部、
２３１、２３１Ａ  アイル内温度制御部（判定手段）、
２３２  空調機吸い込み温度算出部
２３３  アイル温度判定部（判定手段）、
２３６  空調機風量制御部、
２３７  空調機温度制御部、
２３８  通路吹き出し口風量制御部（制御手段）、
２３９  床面吹き出し口風量制御部、
６  空調機（空気調和装置）
８  通路吹き出し口、８Ａ  通路吹き出し口風量調整部（床面吹出し風量調整部）、
９  床面吹き出し口、９Ａ  床面吹き出し口風量調整部（冷気ミキシング部）、
１１  ホットアイル温度検出部、
１２  コールドアイル温度検出部（温度測定手段）、
１４  空調機吹き出し温度検出部
【図１】
2014190667.tif 000003
【図２】
2014190667.tif 000004
【図３】
2014190667.tif 000005
【図４】
2014190667.tif 000006
【図５】
2014190667.tif 000007
【図６】
2014190667.tif 000008
【図７】
2014190667.tif 000009
【図８】
2014190667.tif 000010
【図９】
2014190667.tif 000011